(57)【要約】【課題】送信スロットを生成する方法を提供する。【解決手段】デジタルスプレッドスペクトラムデータをそれぞれ含む複数のデータ領域と、複数の制御領域とを含む送信スロットを受信する段階を含む、送信スロットを生成する方法とした。この方法は、複数のデータ領域のそれぞれを、循環的前置符号拡張（ＣＰＥ）をそれぞれ有し、可変期間を持つ少なくとも一つの直交周波数分割多重化（ＯＦＤＭ）シンボルに入れ替える段階をさらに含む。【選択図】図４
2009533891.tif 000002
【特許請求の範囲】
【請求項１】
デジタルスプレッドスペクトラムデータをそれぞれ含む複数のデータ領域と、複数の制御領域とを含む送信スロットを受信する段階と、
前記複数のデータ領域のそれぞれを、循環的前置符号拡張（ＣＰＥ）をそれぞれ有し、可変期間（ｄｕｒａｔｉｏｎ）を持つ少なくとも一つの直交周波数分割多重化（ＯＦＤＭ）シンボルに入れ替える段階と、
を含む、送信スロットを生成する方法。
【請求項２】
前記ＯＦＤＭシンボルに入れ替える段階が、
データ領域当たりＯＦＤＭシンボルの数を決定する段階と、
前記ＯＦＤＭシンボルのそれぞれを、前記データの領域の特定の数のチップに割り当てる段階と、
前記ＯＦＤＭシンボルの特定チップをＣＰＥに結合する段階と、
前記ＣＰＥの特定チップを一つのウィンドに結合する段階と、
を含む、請求項１に記載の送信スロットを生成する方法。
【請求項３】
前記送信スロットを受信する移動通信端末機と前記送信スロットと通信するネットワークエンティティ間の相対的な速度に基づいて前記ＯＦＤＭシンボルの期間を変更する段階をさらに含む、請求項１に記載の送信スロットを生成する方法。
【請求項４】
前記送信スロットを受信する移動通信端末機によって経験されたチャネル遅延スプレッドに基づいて前記ＣＰＥの長さを変更する段階をさらに含む、請求項１に記載の送信スロットを生成する方法。
【請求項５】
複数の前記データ領域を、期間が互いに異なるＯＦＤＭシンボルに入れ替える段階をさらに含む、請求項１に記載の送信スロットを生成する方法。
【請求項６】
要請に応じて前記ＯＦＤＭシンボルの期間を変更する段階をさらに含む、請求項１に記載の送信スロットを生成する方法。
【請求項７】
通信ネットワーク範囲で作動する移動通信端末機に順方向リンク通信で前記送信スロットを送信する段階をさらに含む、請求項１に記載の送信スロットを生成する方法。
【請求項８】
使用者入力を許可する入力コンポーネントと、
ディスプレイと、
複数のデータ領域及び複数の制御領域を含む順方向リンク送信スロットを受信するように構成された受信機と、
を含み、
前記受信機の前記データ領域のそれぞれは、可変期間を持つ少なくとも一つの直交周波数分割多重化（ＯＦＤＭ）シンボルを含み、前記少なくとも一つのＯＦＤＭシンボルのそれぞれは循環的前置符号拡張（ＣＰＥ）を有する、移動通信端末機。
【請求項９】
前記ＯＦＤＭシンボルの期間が、前記送信スロットを受信する前記移動通信端末機と前記送信スロットと通信するネットワークエンティティ間の相対的な速度に基づいて変更される、請求項８に記載の移動通信端末機。
【請求項１０】
前記ＣＰＥの長さが、前記移動通信端末機によって経験されたチャネル遅延スプレッドに基づいて変更される、請求項８に記載の移動通信端末機。
【請求項１１】
複数の前記データ領域が、期間が互いに異なるＯＦＤＭシンボルを含む、請求項８に記載の移動通信端末機。
【請求項１２】
デジタルスプレッドスペクトラムデータをそれぞれ含む複数のデータ領域と、複数の制御領域とをそれぞれ含む複数の送信スロットを受信する段階と、
前記複数の送信スロットの交互スロットにおいて、前記複数のデータ領域を、循環的前置符号拡張（ＣＰＥ）をそれぞれ有し、可変期間を持つ少なくとも一つの直交周波数分割（ＯＦＤＭ）シンボルに入れ替える段階と、
を含む、送信スロットを生成する方法。
【請求項１３】
前記入れ替える段階が、
データ領域当たりＯＦＤＭシンボルの数を決定する段階と、
前記ＯＦＤＭシンボルのそれぞれを、前記データ領域の特定の数のチップに割り当てる段階と、
前記ＯＦＤＭシンボルの特定チップをＣＰＥと結合する段階と、
前記ＣＰＥの特定チップをウィンドに結合する段階と、
を含む、請求項１２に記載の送信スロットを生成する方法。
【請求項１４】
前記送信スロットを受信する移動通信端末機と前記送信スロットを送信するネットワークエンティティ間の相対的な速度に基づいて前記ＯＦＤＭシンボルの期間を変更する段階をさらに含む、請求項１２に記載の送信スロットを生成する方法。
【請求項１５】
前記送信スロットを受信する移動通信端末機によって経験されたチャネル遅延スプレッドに基づいて前記ＣＰＥの長さを変更する段階をさらに含む、請求項１２に記載の送信スロットを生成する方法。
【請求項１６】
複数の前記データ領域を、期間が異なるＯＦＤＭシンボルに入れ替える段階をさらに含む、請求項１２に記載の送信スロットを生成する方法。
【請求項１７】
要請に応じて前記ＯＦＤＭシンボルの期間を変更する段階をさらに含む、請求項１２に記載の送信スロットを生成する方法。
【請求項１８】
通信ネットワーク範囲で作動する移動通信端末機に順方向リンク通信で前記送信スロットを送信する段階をさらに含む、請求項１２に記載の送信スロットを生成する方法。
【発明の詳細な説明】
【技術分野】
【０００１】
本発明は一般的に移動通信に関し、より詳細には、可変期間（ｖａｒｉａｂｌｅ  ｄｕｒａｔｉｏｎ）を持つ少なくとも一つの直交周波数分割多重化（ＯＦＤＭ；ｏｒｔｈｏｇｏｎａｌ  ｆｒｅｑｕｅｎｃｙ−ｄｉｖｉｓｉｏｎ  ｍｕｌｔｉｐｌｅｘｉｎｇ）シンボルを持つ送信スロットを生成する方法に関する。
【背景技術】
【０００２】
多いアクセス方式の存在によって、マルチユーザが通信媒体を共有できるようになっている。このようなアクセス方式の一つとしてコード分割多重接続（ＣＤＭＡ；Ｃｏｄｅ  Ｄｉｖｉｓｉｏｎ  Ｍｕｌｔｉｐｌｅ  Ａｃｃｅｓｓ）が知られている。ＣＤＭＡシステムで、マルチユーザは同一キャリア周波数を共有し、同時に送信することができる。
【０００３】
ＣＤＭＡシステムの現在標準は、遠距離通信産業協会及び電子産業協会（Ｔｅｌｅｃｏｍｍｕｎｉｃａｔｉｏｎ  Ｉｎｄｕｓｔｒｙ  Ａｓｓｏｃｉａｔｉｏｎ  ａｎｄ  Ｅｌｅｃｔｒｏｎｉｃｓ  Ｉｎｄｕｓｔｒｙ  Ａｓｓｏｃｉａｔｉｏｎ；ＴＩＡ／ＥＩＡ）により公表された規格に含まれるもので、ＩＳ−９５Ａ、ＩＳ−９５Ｂ、及び他のＣＤＭＡ−タイププロトコルを含む。広帯域ＣＤＭＡの新しい標準が開発されてきており、現在のＣＤＭＡ標準と比較して顕著な性能向上を提供する。このような標準の一つとして知られたのがｃｄｍａ２０００である。ｃｄｍａ２０００は、第３世代無線通信システムのニーズを充足させるＣＤＭＡ技術を使用する広帯域、スプレッド・スペクトラム無線インターフェースである。ｃｄｍａ２０００標準の様々な向上は、第３世代無線通信システムの漸進的な発達を容易にするように発展されてきた。１ｘＥＶ−ＤＯと知られたｃｄｍａ２０００変形は、オーバーレイとして高速パケットデータサービスを既存回線交換ネットワークに提供するように開発されている。
【０００４】
ＯＦＤＭは、效率的に全体システム帯域幅を多重直交副帯域（ｓｕｂｂａｎｄ）に分割する技術である。これらの副帯域はまた、トーン（ｔｏｎｅ）、キャリア（ｃａｒｒｉｅｒ）、サブキャリア（ｓｕｂ−ｃａｒｒｉｅｒ）、ビン（ｂｉｎ）、及び周波数チャネルとも呼ばれている。それぞれの副帯域は、データと一緒に変調されうるサブキャリアと関連付けられる。それぞれの副帯域の帯域幅による各時間間隔で、変調シンボルはＮ副帯域のそれぞれに送信されることができる。ＯＦＤＭは、受信された信号の各シンボルが受信された信号の次のシンボルに歪みとして働く現象であるシンボル間干渉（ｉｎｔｅｒ−ｓｙｍｂｏｌ  ｉｎｔｅｒｆｅｒｅｎｃｅ；ＩＳＩ）を除去するのに使われることができる。ＩＳＩは、多重経路チャネルで周波数選択性フェージングに起因する。ＩＳＩの解消のため、当業界に知られたように、送信に先立って各ＯＦＤＭシンボルの部分が反復される。
【０００５】
現在標準は、例えば、通信ネットワークの有効範囲地域内で作動する、移動通信端末機と通信する送信スロットの固定された期間（ｆｉｘｅｄ−ｄｕｒａｔｉｏｎ）を持つＯＦＤＭシンボルを用いる。固定された期間を持つＯＦＤＭシンボルは、システム送信が移動通信端末機によって経験された様々なチャネル条件に容易に適応するのを制限するという問題があった。
【発明の開示】
【発明が解決しようとする課題】
【０００６】
（技術的な問題）
本発明の特徴と利点は、下記の詳細な説明で説明され、詳細な説明から明白になるか、本発明の実施によって理解されることができる。本発明の目的と他の利点は、下記の詳細な説明、特許請求の範囲及び図面で特別に指示された構造によって実現されたり達成されることができる。
【課題を解決するための手段】
【０００７】
一実施形態によれば、送信スロットを生成する方法は、デジタルスプレッドスペクトラムデータをそれぞれ含む複数のデータ領域と、複数の制御領域とを含む送信スロットを受信する段階を含む。この方法は、複数のデータ領域のそれぞれを、循環的前置符号拡張（ｃｙｃｌｉｃ  ｐｒｅｆｉｘ  ｅｘｔｅｎｓｉｏｎ；ＣＰＥ）を有し、可変期間を持つ少なくとも一つのＯＦＤＭシンボルに置き換える段階をさらに含む。
【０００８】
一実施例で、置き換える段階は、データ領域当たりＯＦＤＭシンボルの数を決定する段階と、ＯＦＤＭシンボルのそれぞれをデータ領域の特定数のチップに割り当てる段階と、ＯＦＤＭシンボルの特定チップをＣＰＥに連結する段階と、ＣＰＥの特定チップをウィンドに連結する段階と、を含む。
【０００９】
他の実施例で、本方法は、送信スロットを受信する移動通信端末機と送信スロットと通信するネットワークエンティティ間の相対的な速度に基づいてＯＦＤＭシンボルの期間を変形する段階をさらに含む。
【００１０】
さらに他の実施例で、本方法は、送信スロットを受信する移動通信端末機によって経験されるチャネル遅延スプレッドに基づいてＣＰＥの長さを変形する段階をさらに含む。
【００１１】
さらに他の実施例で、本方法は、複数のデータ領域を、期間が互いに異なるＯＦＤＭシンボルに置き換える段階を含む。
【００１２】
一特徴によれば、上記の方法は、要請に応じてＯＦＤＭシンボルの期間を変形する段階をさらに含む。
【００１３】
他の特徴によれば、上記の方法は、順方向リンク通信で送信スロットを通信ネットワーク内で作動する移動通信端末機に送信する段階をさらに含む。
【００１４】
さらに他の実施形態によれば、移動通信端末機は、使用者入力を許可する入力コンポーネント、ディスプレイ、及び複数のデータ領域及び複数の制御領域を持つ順方向リンク送信スロットを受信する受信機を含み、データ領域のそれぞれは、ＣＰＥを有し、可変期間を持つ少なくとも一つのＯＦＤＭシンボルを含む。
【００１５】
さらに他の実施形態によれば、送信スロットを生成する方法は、デジタルスプレッドスペクトラムデータをそれぞれ含む複数のデータ領域と、複数の制御領域とを含む送信スロットを受信する段階を含む。この方法は、複数のデータ領域のそれぞれを、循環的前置符号拡張（ＣＰＥ）をそれぞれ有し、可変期間を持つ少なくとも一つの直交周波数分割多重化（ＯＦＤＭ）シンボルに置き換える段階をさらに含む。
【発明の効果】
【００１６】
これらの実施形態及び他の実施形態は、添付の図面を参照する実施形態の詳細な説明から当業者に明白になり、本発明は、開示されたいかなる特定の実施形態にも制限されることはない。
【発明を実施するための最良の形態】
【００１７】
以下、添付の図面を参照しつつ、本発明の好適な実施形態について詳細に説明する。図面中、同一の構成要素には可能な限り同一の参照符号を付する。
【００１８】
図１を参照すると、無線通信ネットワーク１が示されている。加入者は、移動通信端末機２を介してネットワークサービスに接続する。移動通信端末機２は、小型セルラー電話のような携帯用通信ユニット、運送手段に設置された通信ユニットまたは固定された場所の通信ユニットでありうる。
【００１９】
移動通信端末機２からの電磁波が逆方向リンクに沿って、ノードＢとも知られた基地局（ｂａｓｅ  ｔｒａｎｓｃｅｉｖｅｒ  ｓｙｓｔｅｍ；ＢＴＳ）３に送信される。ＢＴＳは、アンテナと電波送信用装備のような無線装置を含む。アクセスネットワーク６は、一つまたは数個のＢＴＳからの送信を受信する基地局制御器（ｂａｓｅ  ｓｔａｔｉｏｎ  ｃｏｎｔｒｏｌｌｅｒ；ＢＳＣ）４を含む。ＢＳＣは、ＢＴＳと無線スイッチングセンター（ｍｏｂｉｌｅ  ｓｗｉｔｃｈｉｎｇ  ｃｅｎｔｅｒ；ＭＳＣ）５または内部ＩＰネットワーク（ｉｎｔｅｒｎａｌ  ＩＰ  ｎｅｔｗｏｒｋ）１７とのメッセージを交換することによって、それぞれのＢＴＳからの無線送信を制御及び管理する。
【００２０】
アクセスネットワーク６は、回線交換コアネットワーク（ｃｉｒｃｕｉｔ  ｓｗｉｔｃｈｅｄ  ｃｏｒｅ  ｎｅｔｗｏｒｋ；ＣＳＣＮ）７及びパケット交換コアネットワーク（ｐａｃｋｅｔ  ｓｗｉｔｃｈｅｄ  ｃｏｒｅ  ｎｅｔｗｏｒｋ；ＰＳＣＮ）８とメッセージを交換し、ＣＳＣＮ  ７とＰＳＣＮ  ８にデータを送信する。ＣＳＣＮは伝統的な音声通信を提供し、ＰＳＣＮはインターネットアプリケーション及びマルチメディアサービスを提供する。
【００２１】
ＭＳＣ  ５は、移動通信端末機２からの伝統的な音声通信及び移動通信端末機２への伝統的な音声通信にスイッチングを提供する。ＭＳＣは、例えば、一つ以上のアクセスネットワーク６だけでなく、例えば公衆交換電話網（Ｐｕｂｌｉｃ  Ｓｗｉｔｃｈｅｄ  Ｔｅｌｅｐｈｏｎｅ  Ｎｅｔｗｏｒｋ；ＰＳＴＮ）（図示せず）または総合デジタル通信網（Ｉｎｔｅｇｒａｔｅｄ  Ｓｅｒｖｉｃｅｓ  Ｄｉｇｉｔａｌ  ｎｅｔｗｏｒｋ；ＩＳＤＮ）（図示せず）のような他の公衆網（ｐｕｂｌｉｃ  ｎｅｔｗｏｒｋ）に連結されることができる。訪問者位置レジスタ（Ｖｉｓｉｔｏｒ  Ｌｏｃａｔｉｏｎ  Ｒｅｇｉｓｔｅｒ；ＶＬＲ）９は、訪問加入者へのまたは訪問加入者からの音声通信をハンドリングするように情報を検索するのに用いられる。ＶＬＲ  ９は、ＭＳＣ  ５内に構成されても良く、一つ以上のＭＳＣをサービングしてもよい。
【００２２】
使用者ＩＤは、例えば、加入者情報（例えば、装置一連番号）、移動通信加入者番号、プロフィール情報、現在位置、及び認証期間のようなデータをレコードの目的で保管するホーム位置レジスタ（ｈｏｍｅ  ｌｏｃａｔｉｏｎ  ｒｅｇｉｓｔｅｒ；ＨＬＲ）に割り当てられる。認証センター（Ａｕｔｈｅｎｔｉｃａｔｉｏｎ  ｃｅｎｔｅｒ；ＡＣ）１１は、移動通信端末機２に関連した認証情報を管理する。ＡＣは、ＨＬＲ  １０内に位置しても良く、一つ以上のＨＬＲをサービングしても良い。ＭＳＣ  ５とＨＬＲ  １０及びＡＣ  １１間のインターフェースは、ＩＳ−４１標準インターフェース１８として示される。
【００２３】
ＰＳＣＮ８の部分であるパケットデータサービングノード（ｐａｃｋｅｔ  ｄａｔａ  ｓｅｒｖｉｎｇ  ｎｏｄｅ；ＰＤＳＮ）１２は、移動通信端末機２への及び移動通信端末機２からのパケットデータトラフィック用ルーティングを提供する。ＰＤＳＮ  １２は、移動通信端末機２にリンクレイヤーセッションを設定し、維持し、終結する。認証、権限検証及び課金（ａｕｔｈｅｎｔｉｃａｔｉｏｎ、ａｕｔｈｏｒｉｚａｔｉｏｎ  ａｎｄ  ａｃｃｏｕｎｔｉｎｇ；ＡＡＡ）１３サーバーは、パケットデータトラフィックと関連したインターネットプロトコル認証、権限検証、及び課金機能を提供する。ホームエージェント（ｈｏｍｅ  ａｇｅｎｔ；ＨＡ）１４は、移動通信端末機ＩＰレジストレーションの認証を提供し、外部エージェント（ｆｏｒｅｉｇｎ  ａｇｅｎｔ；ＦＡ）１５へ及び外部エージェント（ｆｏｒｅｉｇｎ  ａｇｅｎｔ；ＦＡ）１５からパケットデータを再指定（ｒｅｄｉｒｅｃｔ）し、ＡＡＡサーバー１３から使用者に関するプロビジョニング情報を受信する。ＨＡ  １４もＰＤＳＮ１２への保安通信を設定し、維持し、終結しても良く、動的ＩＰアドレスを割り当てても良い。ＰＤＳＮは、内部ＩＰネットワーク１７を通じてＡＡＡサーバー１３、ＨＡ  １４、インターネット１６と通信することと示されている。
【００２４】
図１に示す典型的な実施形態で、無線通信ネットワーク１は、ＣＤＭＡ通信技術を用いる１ｘＥＶ−ＤＯと知られた規格によって作動する。本発明の実施形態の作動は、他の形態の無線、及び他の通信システムにおいても同様に実現可能である。したがって、下記の詳細な説明では１ｘＥＶ−ＤＯシステムに挙げて本発明の実施形態の作動を説明するが、本発明の実施形態の作動は他の様々な形態の通信システムに対しても同様に説明されることができる。本発明の実施形態による１ｘＥＶ−ＤＯシステムにおける移動通信端末機２の例は、図面に基づいて詳細に後述される。
【００２５】
ＢＴＳ  ３から移動通信端末機２への送信が順方向リンク送信と呼ばれる。同様に、移動通信端末機２からＢＴＳ  ３への送信は逆方向リンク送信と呼ばれる。一般に、順方向リンク送信はシステム規格によって定義された複数のフレームを含む。好適な通信システムで、複数のチャネル（順方向リンクチャネル）上のフレームの受信中に信号が実質的に受信され、この信号には、通常、パイロットチャネル、制御チャネル、補助チャネル、及び専用チャネルの信号が含まれる。補助チャネルは、インターリーブ及びスプレッドデータ信号を含む。専用チャネルは、補助チャネル上で送信されるデータに関する信号情報を含む。
【００２６】
接続がオープンされる時、移動通信端末機２には、順方向トラフィックチャネル、逆方向トラフィックチャネル、及び逆方向電力制御チャネルが割り当てられる。多重接続は単一セッション途中に発生することができる。１ｘＥＶ−ＤＯシステムでは、一般的にクローズド接続とオープンされた接続という、２つの接続状態が存在する。
【００２７】
移動通信端末機２にいかなる専用無線リンク資源も割り当てられていない状態をクローズド接続と呼び、移動通信端末機２とアクセスネットワーク６間の通信がアクセスチャネルと制御チャネル上で行われる。移動通信端末機２に順方向トラフィックチャネル、逆方向電力制御チャネル、及び逆方向トラフィックチャネルが割り当てられた状態をオープンされた接続と呼び、移動通信端末機２とアクセスネットワーク６間の通信が、制御チャネルだけでなく、これら割り当てられたチャネル上で行われる。
【００２８】
本実施形態によれば、ＯＦＤＭ基盤無線インターフェースは、例えば、２種類の一般化した状況を支援するように構成されることができる。第一、無線インターフェースは、移動通信端末機が経験できる様々なチャネル条件（例えば、移動性及び多重経路スプレッド）を支援できる。第二、無線インターフェースは、レガシー移動通信端末機を支援するように既存動作標準と後方互換されても良い。このような標準の例は、１ｘＥＶ−ＤＯ（Ｒｅｖ．０、Ｒｅｖ．Ａ）、ＮｘＥＶ−ＤＯ（Ｒｅｖ．Ｂ）などを含む。
【００２９】
第一の状況と関連して、一つの一般的なソリューションは、移動通信端末機によって経験できる様々なチャネル条件を収容する多重ＯＦＤＭシンボルオプションを具現することである。特に、ＯＦＤＭシンボルオプションのそれぞれは、一つまたは数個のチャネル条件と関連することができる。一様態で、ＯＦＤＭシンボル期間は、移動通信端末機の移動性、または予想される移動性に基づいて変更されることができる。その代案としてまたは追加として、循環的前置符号拡張（ＣＰＥ）の長さは実際または予想される多重経路遅延スプレッドに基づいて変更されることができる。
【００３０】
例えば、移動通信端末機の典型的な速度が相対的に低い室内環境（例えば、３ｋｍ／ｈｏｕｒ）を考慮すると、多重経路スプレッドは相対的に小さい（例えば、１マイクロ秒未満）。このような環境では、（典型的に最小多重経路遅延スプレッドに基づいた）相対的に小さいＣＰＥ値に連係して（移動通信端末機の低い速度に基づいた）相対的に長い期間を持つＯＦＤＭシンボルを使用することが好ましい。一方、相対的に大きいＣＰＥを持つ相対的に短い期間ＯＦＤＭシンボルは、山岳地域でのより速く動く移動通信端末機（例えば、運送手段または汽車に位置する端末機）に使われても良い。
【００３１】
特定の実施形態は１．２５ＭＨｚシステムを基礎にして相対的に低い速度で動く移動通信端末機に対して４００チップ期間ＯＦＤＭシンボルが用いられる。一つの代替実施形態は、高速で動く移動通信端末機に対して１００チップ期間のＯＦＤＭシンボルを提供する。
【００３２】
ＮｘＥＶ−ＤＯと後方互換されるＯＦＤＭシステムと関連して様々な実施形態を説明する。ただし、このような説明は、ＯＦＤＭを用いる他のシステムにも同様に適用される。好ましくは、ＮｘＥＶ−ＤＯインターフェースは、特定ＯＦＤＭシンボル設計を支援するように定められることができる。また、ＮｘＥＶ−ＤＯ送信スロットは一つまたは数個のＯＦＤＭシンボルを支援するように設計されることができる。例えば、スロットの全体データ部分は典型的な４００チップ期間ＯＦＤＭシンボルを使用することができるのに対し、ＯＦＤＭプリアンブルは１００チップ期間ＯＦＤＭシンボルを使用しても良い。
【００３３】
他の例として、ｃｄｍａ２０００  Ｒｅｖ．Ｃにおけるインターフェース（例えば、改善されたパケットデータ無線インターフェース（ｅｎｈａｎｃｅｄ  ｐａｃｋｅｔ  ｄａｔａ  ａｉｒ  ｉｎｔｅｒｆａｃｅ；Ｅ−ＰＤＡＩ））は、様々な相異なる構成のうちいずれかを用いて具現されることができる。これらの構成は、レガシー移動通信端末機（例えば、Ｒｅｖ．０、Ｒｅｖ．Ａ、及びＲｅｖ．Ｂ（ＩＳ−８５６）端末機）のみを支援するもの、最近モデル移動通信端末機（例えば、Ｒｅｖ．Ｃ）のみを支援するもの、及びそれらの組合せを含む。これは、レガシーシステムから最近Ｒｅｖ．Ｃ支援可能システムへと順調に転換するようにする有用なフィーチャである。
【００３４】
インターフェースは、その様々なリビジョンだけでなく、例えば、ブロードキャストマルチキャストサービス（ｂｒｏａｄｃａｓｔ  ｍｕｌｔｉｃａｓｔ  ｓｅｒｖｉｃｅ；ＢＣＭＣ）のような他の形態のサービスを含むようにより一般化されても良い。移動通信端末機は、例えば、レガシーＣＤＭ信号メカニズムを可用する制御周期上にブロードキャスト、ページング、及びシンク情報を聴取するように構成されても良い。
【００３５】
上述したように、本発明の実施形態は、例えば、１ｘＥＶ−ＤＯ及びＮｘＥＶ−ＤＯシステムと後方互換されるＯＦＤＭシンボル設計を提供する。この設計形態は、２種類の一般的なサブパートを持つ。
【００３６】
その第１設計は、離散フーリエ変換（ｄｉｓｃｒｅｔｅ  Ｆｏｕｒｉｅｒ  ｔｒａｎｓｆｏｒｍ；ＤＦＴ）及び逆ＤＦＴ（ｉｎｖｅｒｓｅ  ＤＦＴ；ｉＤＦＴ）演算を最適化するように４００チップ以上の期間、１．２５ＭＨｚの倍数の帯域、１．２２８８Ｍｃｐｓの倍数のチップ速度、及び低い終端の基数に対する優位を持つＯＦＤＭシンボルを含む。４００チップ期間の重要性は、ＮｘＥＶ−ＤＯ及び他の類似な構成のシステムと後方互換される無線インターフェースシステムを円滑にすることである。このチップカウントは、システムニーズを満たすように要求によって変形されることができる。
【００３７】
第２設計は、例えば、（計画移動通信端末機の識別またはＭＡＣ  ＩＤに対する）１ｘＥＶ−ＤＯプリアンブルのため、４００チップ未満の期間を持つＯＦＤＭシンボルを含む。典型的なプリアンブル長は、６４、１２８、２５６、５１２及び１０２４チップを含み、その結果、ＯＦＤＭシンボル長はそれぞれ、３３６、２７２、１４４、２８８及び１７６である。様々なプリアンブル長によって対応するシンボル長を表す表である図２に、その例示が表現されている。したがって、プリアンブル長によってＯＦＤＭシンボル長が変わる。同様に、上述の如く、例えば、識別された値は、１．２５ＭＨｚの倍数の帯域の関数としてスケーリングされても良い。
【００３８】
図３は、基本１．２２８８Ｍｃｐｓクロック速度に基づく様々なＯＦＤＭ設計を含む表である。このような設計はＮｘＥＶ−ＤＯと厳格に後方互換される設計を支援するのに有用である。単に例示を限定しない方法で、様々な実施形態が１００、２００及び４００チップのＯＦＤＭシンボル期間と関連して説明される。他の期間（例えば、１５０、２５０、４５０等）は要求や要請に応じて具現されることができる。
【００３９】
この特別に示された例では、下のチップ組合せが具現されることができる。
【００４０】
例１−１００、１００、１００、１００；
例２−１００、１００、２００；
例３−４００。
【００４１】
上述したように、可変ＯＦＤＭシンボル設計を利用することは、例えば、さまざまな移動速度を持つ移動通信端末機を支援するのに有用である。例えば、相対的に低い速度で動く移動通信端末機を支援するためには相対的に長い期間を持つＯＦＤＭシンボルを用いることが好ましい。逆に、相対的に短い期間を持つＯＦＤＭシンボルは、速く動く移動通信端末機に用いられることができる。ＣＰＥ長が類似に具現されることができるから、多重経路遅延スプレッドが増加するにつれてより大きいＣＰＥ長が用いられる。好ましくは、様々なＯＦＤＭシンボル設計はネットワークまたは他のエンティティによって永久セッティングとしてプリセッティングされることができ、このような設計はオンザフライ（ｏｎ−ｔｈｅ−ｆｌｙ）変更（例えば、ネットワーク負荷、時刻、曜日など）を許可するように適用されることができる。好ましくは、ＣＰＥに加えて、追加サンプルがウィンド機能に導入されても良い。
【００４２】
図４は、本発明の一実施形態による送信スロットを生成する方法を示すフローチャートである。ブロック１００で、複数のデータ領域及び複数の制御領域を持つ送信スロットが受信される。データ領域のそれぞれは、デジタルスプレッドスペクトラムデータを含む。ブロック１０５では、複数のデータ領域のそれぞれを、ＣＰＥをそれぞれ含み、可変期間を持つ少なくとも一つのＯＦＤＭに入れ替える段階を提供する。
【００４３】
特定の実施形態で、ブロック１０５の入れ替える段階は、データ領域当たりＯＦＤＭシンボルの数を決定する段階、ＯＦＤＭシンボルのそれぞれをデータ領域の特定個数のチップに割り当てる段階、ＯＦＤＭシンボルの特定チップをＣＰＥに結合させる段階、及びＣＰＥの特定チップをウィンドに結合させる段階を含む。
【００４４】
追加的な実施例は、送信スロットを受信する移動通信端末機とスロットと通信するネットワークエンティティ間の相対的な速度によってＯＦＤＭシンボルの期間を変更する段階を含む。その代案としてまたは追加として、ＣＰＥ長は、スロットを受信する移動通信端末機によって経験されるチャネル遅延スプレッドに応じて変更されても良い。
【００４５】
一実施形態で、ブロック１００の受信する段階は、複数の送信スロットを受信する段階を含むことができる。それぞれの送信スロットは同一または相異なる個数及び／または形態の入れ替えられたＯＦＤＭシンボルを含んでも良い。その代案として、入れ替える段階は、スロットのインターレーシングされたスロットの送信を形成するように交互にスロットに（例えば、偶数または奇数スロットにのみ）行われても良い。
【００４６】
図５は、本発明の一実施形態による典型的な送信スロットを示す図である。図６は、図５に示すスロットのような送信スロットに具現可能な様々なＯＦＤＭシンボル設計を示す。
【００４７】
まず、図５を参照すると、スロット２００は、１０２４チップの長さをそれぞれ持つ二つの１／２スロットからなるとした。送信スロット２００は、順方向リンクスロットとして典型的に具現される。各１／２スロットは、二つのＯＦＤＭデータブロック２０５及び制御情報（ＭＡＣ、パイロット、ＭＡＣ）を含む。各ＯＦＤＭデータブロック２０５は、ＣＰＥ及びＯＦＤＭサブキャリアを含む。
【００４８】
スロット２００の四つのＯＦＤＭデータブロック２０５のそれぞれは、４００チップの期間を持つとした。本発明の一実施形態によれば、データブロック２０５のいくつかまたは全部は、異なる長さ（すなわち、４００チップと異なる長さ）を持つＯＦＤＭデータブロックで具現されても良い。例えば、それぞれ２００チップ長を持つ２個のＯＦＤＭデータブロックは、４００チップ長のデータブロック２０５のいくつかまたは全部を入れ替えても良い。このような例が、図６のＯＦＤＭデータブロック２１０で示されている。他の例として、それぞれ１００チップ長を持つ４個のＯＦＤＭデータブロックを具現することができる。この実施例は図６のＯＦＤＭデータブロック２１５で示されている。
【００４９】
図７〜図１３は、本発明の一実施形態による様々なＯＦＤＭシンボル設計を示す表である。詳細には、図７は１００チップの期間を有し、９６個のサブキャリアと長さ４のＣＰＥに分割されたＯＦＤＭシンボルを示す。１．２５ＭＨｚ帯域幅と関連した値は、他の帯域幅（例えば、２．５ＭＨｚ、３．７５ＭＨｚ、５ＭＨｚ、１０ＭＨｚ、１５ＭＨｚ及び２０ＭＨｚ）に適応するようにスケーリングされると示される。これらの帯域幅は一般的にプラチナＢＣＭＣＳと呼ばれる送信標準に現在適用される。図８〜図１０も、１００チップの期間を持つＯＦＤＭシンボルを示すが、これらのシンボルは、図７に示す４のＣＰＥ長と異なるＣＰＥ長（すなわち、それぞれ１０、１９及び２０）を持つ。図７〜図１０における任意の１００  ＯＦＤＭシンボル設計は、例えば、ＯＦＤＭデータブロック（２１５、図６）の具現に用いられても良い。
【００５０】
図１１は、２００チップの期間を有し、１９２個のサブキャリアと長さ８のＣＰＥに分割されたＯＦＤＭシンボル設計を示す。同様に、図１２は、２００チップの期間を有し、１８０個のサブキャリアと長さ２０のＣＰＥに分割されたＯＦＤＭシンボル設計を示す。図１１及び図１２の２００チップＯＦＤＭシンボル設計のそれぞれは、例えば、ＯＦＤＭデータブロック（２１０、図６）の具現に用いられても良い。
【００５１】
図１３は、４００チップの期間を有し、３８４個のサブキャリアと長さ１６のＣＰＥに分割されたＯＦＤＭシンボル設計を示す。このＯＦＤＭシンボル設計は、例えば、ＯＦＤＭデータブロック（２０５、図５及び６）の具現に用いられても良い。
【００５２】
図１４は、移動通信端末機２のブロック図である。移動通信端末機は、プロセッサ（またはデジタル信号プロセッサ）５１０、ＲＦモジュール５３５、電力管理モジュール５０５、アンテナ５４０、ディスプレイ５１５、メモリー５３０、（選択事項である）加入者識別モジュール（ｓｕｂｓｃｒｉｂｅｒ  ｉｄｅｎｔｉｔｙ  ｍｏｄｕｌｅ；ＳＩＭ）カード５２５、スピーカー５４５、及びマイクロホン５５０を含む。
【００５３】
使用者は、例えば、キーパッド５２０のボタンを押したり、マイクロホン５５０を用いた音声駆動によって電話番号のような指示情報を入力する。プロセッサ５１０は、電話番号をダイヤリングするなどの適切な機能を行うように指示情報を受信して処理する。作動データは、機能を行うようにＳＩＭカード５２５またはメモリーモジュール５３０から検索されることができる。また、プロセッサは、使用者の参照及び便宜のためにディスプレイ５１５上に指示または作動情報をディスプレイしても良い。
【００５４】
プロセッサ５１０は、通信を初期化し、例えば、音声通信データを含む無線信号を送信するように指示情報を発する。ＲＦモジュール５３５は、無線信号を受信し送信するように受信機及び送信機を含む。アンテナ５４０は、無線信号の送信及び受信を容易にする。無線信号を受信する時、ＲＦモジュールは、プロセッサ５１０により処理されるように低周波数でフォーワーディングし、コンバータティングしても良い。例えば、プロセシングされた信号はスピーカー５４５によって出力された可聴または可読情報に転換される。例えば、プロセッサはまた、ｃｄｍａ２０００または１ｘＥＶ−ＤＯシステムと関連してこの明細書で説明された様々なプロセスを行うのに必要なプロトコル及び関数を含んでも良い。
【産業上の利用可能性】
【００５５】
上述した実施形態及び利点は、単なる模範例に過ぎず、本発明の範囲を制限するためのものではない。本発明の説明は他の形態の機構及びプロセスに容易に適用されることができる。本発明の詳細な説明は説明のための例で、請求項の範囲を制限するためのものではない。様々な代案、改造、変形が当業者にとっては明らかである。
【図面の簡単な説明】
【００５６】
【図１】本発明の一実施形態による無線通信ネットワークを示す図である。
【図２】通信するシンボル長によるプリアンブル長を示す表である。
【図３】基本１．２２８８Ｍｃｐｓクロック速度に基盤する様々なＯＦＤＭ設計を含む表である。
【図４】本発明の一実施形態による送信スロットを生成する方法を示すフローチャートである。
【図５】本発明の一実施形態による典型的な送信スロットを示す図である。
【図６】図５のスロットのような送信スロットに具現されうる様々なＯＦＤＭシンボル設計を示す図である。
【図７】図７乃至図１３は、本発明の一実施形態による様々なＯＦＤＭシンボル設計を示す表である。
【図８】図７乃至図１３は、本発明の一実施形態による様々なＯＦＤＭシンボル設計を示す表である。
【図９】図７乃至図１３は、本発明の一実施形態による様々なＯＦＤＭシンボル設計を示す表である。
【図１０】図７乃至図１３は、本発明の一実施形態による様々なＯＦＤＭシンボル設計を示す表である。
【図１１】図７乃至図１３は、本発明の一実施形態による様々なＯＦＤＭシンボル設計を示す表である。
【図１２】図７乃至図１３は、本発明の一実施形態による様々なＯＦＤＭシンボル設計を示す表である。
【図１３】図７乃至図１３は、本発明の一実施形態による様々なＯＦＤＭシンボル設計を示す表である。
【図１４】移動通信端末機のブロック図である。
【図１】
2009533891.tif 000003
【図２】
2009533891.tif 000004
【図３】
2009533891.tif 000005
【図４】
2009533891.tif 000006
【図５】
2009533891.tif 000007
【図６】
2009533891.tif 000008
【図７】
2009533891.tif 000009
【図８】
2009533891.tif 000010
【図９】
2009533891.tif 000011
【図１０】
2009533891.tif 000012
【図１１】
2009533891.tif 000013
【図１２】
2009533891.tif 000014
【図１３】
2009533891.tif 000015
【図１４】
2009533891.tif 000016